(57)【要約】【課題】開状態におけるアンテナ特性を維持できる携帯電子機器を提供する。【解決手段】携帯電話機１は、第１筐体３に配置され、第１グランドパターン１９ｇを有する第１回路基板１９と、第１筐体３に配置され、第１グランドパターン１９ｇに接続されたアンテナ２３と、第２筐体５に配置され、第２グランドパターン４１ｇを有する第２回路基板４１と、第２筐体５に埋設された導電性の第２板金部４３とを有している。連結部６には金属部材５１が配置されている。金属部材５１は、第１グランドパターン１９ｇと容量的に結合される包囲部５７と、包囲部５７から第２筐体５の内部まで延設される延設部５９とを有している。延設部５９は、第２板金部４３に当接する第１部分（第１長尺部６７Ａ及び６７Ｂ）と、第２グランドパターン４１ｇに当接する第２部分（第２長尺部６９Ａ及び６９Ｂ）とを有している。【選択図】図５
2011172025.tif 000002
【特許請求の範囲】
【請求項１】
第１筐体と、
第２筐体と、
前記第１筐体と前記第２筐体とを開閉可能に連結する連結部と、
前記第１筐体に配置され、第１グランドパターンを有する第１回路基板と、
前記第１筐体に配置され、前記第１グランドパターンに接続されたアンテナと、
前記第２筐体に配置され、第２グランドパターンを有する第２回路基板と、
前記第２筐体に埋設された導電性の導電埋設部と、
を有し、
前記連結部には、前記第１グランドパターンと容量的に結合される容量結合部と、前記容量結合部から前記第２筐体の内部まで延設された延設部とを有する導電体が配置され、
前記延設部は、前記導電埋設部に当接する第１部分と、前記第２グランドパターンに当接する第２部分とを有する
携帯電子機器。
【請求項２】
前記導電埋設部は、開状態における前記第１筐体及び前記第２筐体の並び方向に直交する幅方向において前記容量結合部よりも広く形成されており、
前記第１部分は、前記幅方向において前記容量結合部よりも広い範囲の位置にて前記導電埋設部に当接している
請求項１に記載の携帯電子機器。
【請求項３】
前記第２グランドパターンは、開状態における前記第１筐体及び前記第２筐体の並び方向に直交する幅方向において前記容量結合部よりも広く形成されており、
前記第２部分は、前記幅方向において前記容量結合部よりも広い範囲の位置にて前記第２グランドパターンに当接している
請求項１又は２に記載の携帯電子機器。
【請求項４】
前記導電埋設部及び前記第２グランドパターンは、開状態における前記第１筐体及び前記第２筐体の並び方向に直交する幅方向において前記容量結合部よりも広く形成されており、
前記延設部は、前記容量結合部に連結され、閉状態における前記第１筐体及び前記第２筐体の対向方向に見て枠状に形成された枠状部を有し、
前記第１部分は、前記枠状部から前記幅方向の両側へ延び、前記幅方向において前記容量結合部よりも広い範囲の位置にて前記導電埋設部に当接する２本の第１長尺部を有し、
前記第２部分は、前記枠状部から前記幅方向の両側へ延び、前記幅方向において前記容量結合部よりも広い範囲の位置にて前記第２グランドパターンに当接する２本の第２長尺部を有する
請求項１に記載の携帯電子機器。
【請求項５】
前記第２回路基板に実装され、前記第１長尺部又は前記第２長尺部に沿って配列された複数の実装部品を更に有する
請求項４に記載の携帯電子機器。
【請求項６】
前記第２回路基板に当接される端子を有するバイブレータを更に有する
請求項１〜５のいずれか１項に記載の携帯電子機器。
【請求項７】
前記導電埋設部は、前記アンテナの共振波長の１／４の長さを有する
請求項１〜６のいずれか１項に記載の携帯電子機器。
【請求項８】
前記第２筐体に配置される電子部品を更に有し、
前記導電埋設部は、前記電子部品を保持する
請求項１〜７のいずれか１項に記載の携帯電子機器。
【請求項９】
前記導電体は、前記連結部の材料よりも強度が高い材料により形成されている
請求項１〜８のいずれか１項に記載の携帯電子機器。
【請求項１０】
前記連結部は、前記第２筐体から突出する突部を有し、
前記突部は、開状態における前記第１筐体及び前記第２筐体の並び方向に直交する幅方向に、前記第１筐体と共に軸部材が挿通されることにより、前記幅方向に延びる回転軸回りに回転可能に前記第１筐体に連結され、
前記容量結合部は、前記突部の前記回転軸回りの外周面の少なくとも一部を覆っている
請求項９に記載の携帯電子機器。
【請求項１１】
前記第２筐体は、
前記突部が形成された第１ケース部材と、
前記第１ケース部材と対向して固定された第２ケース部材と、
を有し、
前記導電体は、前記突部に固定され、
前記容量結合部には、前記第１ケース部材及び前記第２ケース部材の対向方向に直交する方向に開口する係合穴が形成され、
前記連結部には、前記係合穴に係合し、前記突部及び前記容量結合部を覆うカバーが設けられている
請求項１０に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
開閉可能に連結された２つの筐体と、これら２つの筐体の少なくとも一方に配置されたアンテナとを有する携帯電話機が知られている（例えば特許文献１）。このような携帯電話機においては、２つの筐体は、閉状態においては互いに重ね合わされ、開状態においては閉状態における対向面を露出させて互いに並べられる。
【先行技術文献】
【特許文献】
【０００３】
【特許文献１】特開２００９−１０００８５号公報
【発明の概要】
【発明が解決しようとする課題】
【０００４】
上記のような携帯電話機においては、筐体の開閉により、一方の筐体に配置されたアンテナと、他方の筐体に配置された回路基板及び導体との位置関係が変化する。その結果、閉状態と開状態とではアンテナ特性が変化する。そして、一般に、開状態においてはアンテナ特性が維持され難かった。
【０００５】
本発明の目的は、開状態におけるアンテナ特性を維持できる携帯電子機器を提供することにある。
【課題を解決するための手段】
【０００６】
本発明の携帯電子機器は、第１筐体と、第２筐体と、前記第１筐体と前記第２筐体とを開閉可能に連結する連結部と、前記第１筐体に配置され、第１グランドパターンを有する第１回路基板と、前記第１筐体に配置され、前記第１グランドパターンに接続されたアンテナと、前記第２筐体に配置され、第２グランドパターンを有する第２回路基板と、前記第２筐体に埋設された導電性の導電埋設部と、を有し、前記連結部には、前記第１グランドパターンと容量的に結合される容量結合部と、前記容量結合部から前記第２筐体の内部まで延設された延設部とを有する導電体が配置され、前記延設部は、前記導電埋設部に当接する第１部分と、前記第２グランドパターンに当接する第２部分とを有する。
【０００７】
好適には、前記導電埋設部は、開状態における前記第１筐体及び前記第２筐体の並び方向に直交する幅方向において前記容量結合部よりも広く形成されており、前記第１部分は、前記幅方向において前記容量結合部よりも広い範囲の位置にて前記導電埋設部に当接している。
【０００８】
好適には、前記第２グランドパターンは、開状態における前記第１筐体及び前記第２筐体の並び方向に直交する幅方向において前記容量結合部よりも広く形成されており、前記第２部分は、前記幅方向において前記容量結合部よりも広い範囲の位置にて前記第２グランドパターンに当接している。
【０００９】
好適には、前記導電埋設部及び前記第２グランドパターンは、開状態における前記第１筐体及び前記第２筐体の並び方向に直交する幅方向において前記容量結合部よりも広く形成されており、前記延設部は、前記容量結合部に連結され、閉状態における前記第１筐体及び前記第２筐体の対向方向に見て枠状に形成された枠状部を有し、前記第１部分は、前記枠状部から前記幅方向の両側へ延び、前記幅方向において前記容量結合部よりも広い範囲の位置にて前記導電埋設部に当接する２本の第１長尺部を有し、前記第２部分は、前記枠状部から前記幅方向の両側へ延び、前記幅方向において前記容量結合部よりも広い範囲の位置にて前記第２グランドパターンに当接する２本の第２長尺部を有する。
【００１０】
好適には、前記第２回路基板に実装され、前記第１長尺部又は前記第２長尺部に沿って配列された複数の実装部品を更に有する。
【００１１】
好適には、前記第２回路基板に当接される端子を有するバイブレータを更に有する。
【００１２】
好適には、前記導電埋設部は、前記アンテナの共振波長の１／４の長さを有する。
【００１３】
好適には、前記第２筐体に配置される電子部品を更に有し、前記導電埋設部は、前記電子部品を保持する。
【００１４】
好適には、前記導電体は、前記連結部の材料よりも強度が高い材料により形成されている。
【００１５】
好適には、前記連結部は、前記第２筐体から突出する突部を有し、前記突部は、開状態における前記第１筐体及び前記第２筐体の並び方向に直交する幅方向に、前記第１筐体と共に軸部材が挿通されることにより、前記幅方向に延びる回転軸回りに回転可能に前記第１筐体に連結され、前記容量結合部は、前記突部の前記回転軸回りの外周面の少なくとも一部を覆っている。
【００１６】
好適には、前記第２筐体は、前記突部が形成された第１ケース部材と、前記第１ケース部材と対向して固定された第２ケース部材と、を有し、前記導電体は、前記突部に固定され、前記容量結合部には、前記第１ケース部材及び前記第２ケース部材の対向方向に直交する方向に開口する係合穴が形成され、前記連結部には、前記係合穴に係合し、前記突部及び前記容量結合部を覆うカバーが設けられている。
【発明の効果】
【００１７】
本発明によれば、開状態におけるアンテナ特性を維持できる。
【図面の簡単な説明】
【００１８】
【図１】本発明の実施形態に係る携帯電話機を示す外観斜視図。
【図２】図１の携帯電話機の第１筐体の分解斜視図。
【図３】図１の携帯電話機の第２筐体の分解斜視図。
【図４】図３の第２筐体の連結部付近における分解斜視図。
【図５】図３の第２筐体の連結部付近における他の分解斜視図。
【図６】図１の携帯電話機の連結部付近の内部を示す斜視図。
【図７】図６のＶＩＩ−ＶＩＩ線における第２筐体の断面図。
【図８】図１の携帯電話機のバイブレータ周辺の内部を示す斜視図。
【発明を実施するための形態】
【００１９】
図１は、本発明の実施形態に係る携帯電話機１の外観を開状態で示す斜視図である。
【００２０】
携帯電話機１は、いわゆる折り畳み式の携帯電話機として構成されている。すなわち、携帯電話機１は、第１筐体３と、第２筐体５と、これら２つの筐体を回転軸ＲＡ回りに相対回転可能に連結する連結部６とを有している。
【００２１】
第１筐体３及び第２筐体５は、例えば、概ね薄型直方体状に形成されており、閉状態では、対向面３ａ及び５ａを互いに対向させて重ね合わされる。このとき、第１筐体３及び第２筐体５の輪郭は略一致する。また、開状態では、第１筐体３及び第２筐体５は、対向面３ａ及び５ａを露出させるように回転軸ＲＡを挟んで配列される。
【００２２】
なお、第１筐体３及び第２筐体５において、開状態における第１筐体３及び第２筐体５の並び方向を長手方向Ｄ１といい、回転軸ＲＡ方向（長手方向Ｄ１に直交する方向）を幅方向Ｄ２ということがある。
【００２３】
連結部６は、第２筐体５から突出する連結突部１１が、第１筐体３に形成された凹部１３に挿入されて構成されている。連結突部１１は、例えば、第２筐体５の端部において、対向面５ａの面する方向へ突出している。凹部１３は、例えば、対向面３ａの平面視における第１筐体３の縁部を切り欠いた形状に形成されている。
【００２４】
第１筐体３には、特に図示しないが、例えば、通話用のマイクロフォン、通信のためのアンテナ２３（図２参照）、報知用のスピーカ、カメラ、ユーザの操作を受け付ける操作部７が設けられている。第２筐体５には、特に図示しないが、例えば、通話用のスピーカ、表示部９が設けられている。
【００２５】
図２は、第１筐体３の分解斜視図である。
【００２６】
第１筐体３は、第１筐体３の対向面３ａ側を構成する第１フロントケース１５と、第１筐体３の対向面３ａとは反対側を構成する第１リアケース１７とを有している。そして、第１フロントケース１５と第１リアケース１７との間には、第１回路基板１９と、バッテリ２１と、アンテナ２３とが収容されている。
【００２７】
第１フロントケース１５は、対向面３ａの外周に沿って枠状に形成された第１樹脂部２５と、外周部が第１樹脂部２５に埋設された第１板金部２６（図６参照）とを有している。第１板金部２６の対向面３ａ側には、不図示のフレキシブル基板と、当該フレキシブル基板を覆う可撓性の表層部２７とが積層されている。
【００２８】
第１板金部２６は、対向面３ａの概ね全体に亘って広がっている。第１板金部２６に積層される不図示のフレキシブル基板には、操作部７を構成する不図示の複数のスイッチが設けられている。表層部２７には、複数のスイッチに対応する位置に複数のキー７ａが形成されている。
【００２９】
第１リアケース１７は、本体部２９と、本体部２９に着脱される蓋部３１とを有している。本体部２９には、バッテリ２１を着脱するための開口が形成されており、蓋部３１は本体部２９に係合部などにより取り付けられて、その開口を塞ぐ。本体部２９及び蓋部３１は、例えば、全体が樹脂により形成されている。
【００３０】
第１回路基板１９は、例えば、硬質の樹脂をベースとしたリジッド式のプリント基板により構成されている。第１回路基板１９は、例えば、対向面３ａの半分程度の広さを有し、対向面３ａの内側に対向するように配置されている。第１回路基板１９には、ＩＣ等の種々の実装部品が実装されている。
【００３１】
また、第１回路基板１９には、基準電位が付与される第１グランドパターン１９ｇ（一部のみ示す）が設けられている。第１グランドパターン１９ｇは、第１回路基板１９の絶縁層に積層された所定のパターンの導電層により構成されている。なお、第１板金部２６は第１グランドパターン１９ｇに接続されている。また、第１板金部２６は、長手方向Ｄ１において、アンテナ２３により送受信される電波の波長の１／４程度（１００ｍｍ程度）であることが好ましい。
【００３２】
バッテリ２１は、例えば、概ね、対向面３ａの半分程度の広さを有する薄型直方体状に形成されており、第１回路基板１９と並列に配置されている。
【００３３】
アンテナ２３は、例えば、樹脂基体の表面に、所定のパターンで不図示の導電層が形成されることにより構成されている。アンテナ２３は、第１筐体３の連結部６とは反対側の端部に配置されている。アンテナ２３は、適宜なバネ接点などを介して、第１グランドパターン１９ｇに接続されるとともに、第１回路基板１９の不図示の信号ラインに接続される。信号ラインには、基準電位に対して変動する電位、すなわち、受信信号又は送信信号が付与される。アンテナ２３により送信又は受信される電波の周波数は、例えば、８００ＭＨｚである。
【００３４】
図３は、第２筐体５の分解斜視図である。
【００３５】
第２筐体５は、第２筐体５の対向面５ａ側を構成する第２フロントケース３３及びトリムプレート３５と、第２筐体５の対向面５ａとは反対側を構成する第２リアケース３７とを有している。そして、第２筐体５には、表示装置３９及び第２回路基板４１が収容されている。
【００３６】
表示装置３９は、第２フロントケース３３とトリムプレート３５との間に配置され、第２回路基板４１は、第２フロントケース３３と第２リアケース３７との間に配置される。ただし、図３では、表示装置３９と第２回路基板４１とが接続されることから、表示装置３９を第２フロントケース３３と第２リアケース３７との間に図示している。
【００３７】
第２フロントケース３３は、枠状に形成された第２樹脂部４２と、外周部が第２樹脂部４２に埋設された第２板金部４３とを有している。なお、第２板金部４３は、第２筐体５とは別個の部材として捉えられてもよい。
【００３８】
第２板金部４３は、概ね、対向面５ａに亘る広さを有している。従って、第２板金部４３は、幅方向Ｄ２においては、連結突部１１よりも大きい。また、第２板金部４３は、長手方向Ｄ１において、アンテナ２３により送受信される電波の波長の１／４程度（１００ｍｍ程度）であることが好ましい。
【００３９】
また、第２板金部４３には、トリムプレート３５側を凹とする凹部４３ａが形成されている。換言すれば、第２板金部４３は、対向面５ａの内側に対向する底面と、その面の外周において対向面５ａ側に突出する壁部とを有している。凹部４３ａには、表示装置３９が嵌合して収容される。
【００４０】
このような第２フロントケース３３は、いわゆるインサート成形により形成される。具体的には、まず、板金に打ち抜き加工や折り曲げ加工などのプレス加工を施して第２板金部４３を形成する。次に、形成された第２板金部４３を金型内に配置し、金型内に溶融樹脂を充填し、第２樹脂部４２を形成する。これにより、第２板金部４３の外周部が第２樹脂部４２に埋設された第２フロントケース３３が形成される。
【００４１】
トリムプレート３５は、樹脂やガラスにより形成された透光性の板状部材である。トリムプレート３５は、第２樹脂部４２の対向面５ａ側の面に対して不図示の両面テープなどにより固定される。
【００４２】
第２リアケース３７は、例えば、全体が樹脂により形成されている。第２リアケース３７は、不図示のネジなどにより、第２フロントケース３３に対して固定される。
【００４３】
表示装置３９は、例えば、液晶表示装置や有機ＥＬ表示装置により形成されている。表示装置３９は、例えば、概ね対向面５ａに亘る広さを有する矩形状に形成されている。表示装置３９は、表示面をトリムプレート３５側に向けて凹部４３ａに収容される。表示装置３９は、フレキシブル基板３９ａにより第２回路基板４１と接続される。
【００４４】
第２回路基板４１は、例えば、硬質の樹脂をベースとしたリジッド式のプリント基板により構成されている。第２回路基板４１は、例えば、幅方向Ｄ２においては、対向面３ａと同等の大きさを有している。また、第２回路基板４１は、対向面３ａの平面視において表示装置３９と並列に配置可能に、長手方向Ｄ１においては比較的小さく形成されている。
【００４５】
第２回路基板４１には、ＩＣ等の種々の実装部品４５が実装されている。複数の実装部品４５は、例えば、幅方向Ｄ２において直線的に配列されている。また、第２回路基板４１には、基準電位が付与される第２グランドパターン４１ｇ（一部のみ示す）が設けられている。第２グランドパターン４１ｇは、第２回路基板４１の絶縁層に積層された所定のパターンの導電層により構成されている。
【００４６】
なお、第２回路基板４１は、連結部６に挿通される不図示の信号線により、第１回路基板１９と互いに接続されている。従って、第２グランドパターン４１ｇも、第１グランドパターン１９ｇと不図示の信号線を介して接続されている。なお、不図示の信号線は、例えば、フレキシブル基板、又は、細線同軸ケーブルの束である。
【００４７】
第２回路基板４１は、第２フロントケース３３の内側面に設けられた適宜な位置決め部により実装面に沿う方向において位置決めされる。また、第２フロントケース３３と第２リアケース３７とが固定され、これらのケース部材に挟持されることにより、実装面に直交する方向において位置決めされる。
【００４８】
連結部６においては、連結突部１１を構成する突部４７及びカバー４９と、種々の機能を果たす金属部材５１とが設けられている。なお、金属部材５１も、連結突部１１を構成する部材と捉えられてもよい。
【００４９】
突部４７は、第２樹脂部４２と一体的に形成され、第２フロントケース３３から対向面５ａの面する側に突出している。突部４７は、例えば、回転軸ＲＡ方向を長手方向とする直方体状部分と、その上に形成された半円状部分とから構成されている。突部４７の内部は空洞となっており、第２フロントケース３３の内側を凹とする凹部４８（図６参照）が形成されている。
【００５０】
なお、第２板金部４３は、突部４７の周囲まで広がって第２樹脂部４２に埋設されている。また、第２板金部４３は、対向面５ａに直交する方向に突出し、突部４７の表示部９側の壁部に埋設される部分を有しており、これにより、突部４７の表示部９側の壁部は補強されている。
【００５１】
突部４７の回転軸ＲＡ方向の両側には、回転軸ＲＡ方向に開口する孔部が形成されており、当該孔部には、第１軸部材５３及び第２軸部材５５が挿通される。また、第１軸部材５３及び第２軸部材５５は、第１フロントケース１５に形成された軸受部（後述する図６の第２構成部７５ｂ参照）の、回転軸ＲＡ方向に開口する孔部にも挿通される。これにより、第１筐体３及び第２筐体５は、回転軸ＲＡ回りに相対回転に連結される。
【００５２】
カバー４９は、主としてデザイン上の理由から突部４７に被せられるものである。カバー４９は、例えば、樹脂により形成され、また、概ね筒状に形成されている。カバー４９は、後述する係合などにより突部４７に対して固定されている。
【００５３】
図４は、第２フロントケース３３及び金属部材５１を連結部６付近において示す分解斜視図である。図５は、第２フロントケース３３、金属部材５１及び第２回路基板４１を連結部６付近において示す分解斜視図である。
【００５４】
金属部材５１は、例えば、一枚の板金に対して打ち抜き加工や折り曲げ加工などのプレス加工を施すことにより形成されており、全体が一体的に形成されている。また、金属部材５１は、導電性を有するとともに、突部４７などを形成する材料（樹脂）よりも強度が高い材料（金属）により形成されている。
【００５５】
金属部材５１は、突部４７を覆う包囲部５７と、包囲部５７から延設されて第２筐体５の内部（第２フロントケース３３と第２リアケース３７との間）に配置される延設部５９とを有している。
【００５６】
包囲部５７は、突部４７の頂部から、突部４７の開状態における第１筐体３側の面に亘って配置される。延設部５９は、第２フロントケース３３の内側面に沿って配置される。換言すれば、金属部材５１は、突部４７において、第２フロントケース３３の外側から内側へ亘って設けられる大きさ及び形状に形成されている。
【００５７】
また、図４に示すように、包囲部５７の頂部側の縁部には、延設部５９側に突出し、突部４７の頂部に形成された係合穴４７ｄに係合可能な係合部６１が形成されている。図５に示すように、延設部５９には、包囲部５７の頂部側に突出し、第２樹脂部４２の内側面に形成された係合穴４２ｄに係合可能な係合部６３が形成されている。
【００５８】
そして、金属部材５１は、弾性変形を利用して包囲部５７と延設部５９とで突部４７を挟み込み、係合部６１及び６３を係合穴４７ｄ及び４２ｄに係合させることにより、突部４７に対して固定される。なお、第２フロントケース３３（第２樹脂部４２）の内側面には、延設部５９が嵌合する溝状の凹部４２ｋが設けられ、当該凹部４２ｋは延設部５９の位置決め等に寄与している。
【００５９】
包囲部５７は、例えば、概ね板状に形成されており、突部４７の回転軸ＲＡ回りの外周面を覆っている。包囲部５７の幅方向Ｄ２の大きさは、突部４７と概ね同等である。なお、上述のように、第２回路基板４１及び第２板金部４３は、幅方向Ｄ２において、第２筐体５の対向面５ａと同等の広さを有しているから、第２回路基板４１（第２グランドパターン４１ｇ）及び第２板金部４３は、幅方向Ｄ２において、包囲部５７よりも大きい。包囲部５７の突部４７の突出方向の大きさは、突部４７と概ね同等である。包囲部５７の頂部は、突部４７の頂部側の外周面の湾曲に応じて湾曲している。
【００６０】
包囲部５７には、係合穴５７ｅ及び５７ｆが形成されている。係合穴５７ｅ及び５７ｆは、第２フロントケース３３及び第２リアケース３７の対向方向に直交する方向に開口している。係合穴５７ｅには、カバー４９に設けられた係合部４９ｅ（図３）が挿入される。これにより、カバー４９は、金属部材５１を介して、第２フロントケース３３に対して間接的に係合される。また、係合穴５７ｆには、第２リアケース３７に設けられた不図示の係合部が挿入される。
【００６１】
図６は、金属部材５１を第２フロントケース３３に取り付けた状態で第２フロントケース３３及び第１フロントケース１５の内側面を示す斜視図である。
【００６２】
延設部５９は、図５及び図６に示すように、包囲部５７に連結された枠状部６５と、枠状部６５から枠状部６５の外側へ延びる２本の第１長尺部６７Ａ及び６７Ｂと、枠状部６５から枠状部６５の外側へ延びる２本の第２長尺部６９Ａ及び６９Ｂとを有している。なお、以下において、第１長尺部６７Ａ及び６７Ｂ、並びに、第２長尺部６９Ａ及び６９ＢのＡ、Ｂを省略することがある。
【００６３】
第１長尺部６７は、金属部材５１と第２板金部４３とを電気的に接続するためのものであり、第２長尺部６９は、金属部材５１と第２回路基板４１の第２グランドパターン４１ｇとを電気的に接続するためのものである。具体的には、以下のように接続が行われる。
【００６４】
枠状部６５は、概ね、第２フロントケース３３の内側面に沿う矩形状に形成されている。すなわち、枠状部６５は、包囲部５７から長手方向Ｄ１に延びる２本の第３長尺部７１と、幅方向Ｄ２に延びて２本の第３長尺部７１を結ぶ第４長尺部７３とを有している。２本の第３長尺部７１は、概ね包囲部５７の幅方向Ｄ２の端部から延びており、枠状部６５の幅方向Ｄ２における大きさ（２本の第３長尺部７１の間隔及び第４長尺部７３の長さ）は、包囲部５７の幅方向Ｄ２の大きさと概ね同等である。
【００６５】
２本の第１長尺部６７は、２本の第３長尺部７１の中途から幅方向Ｄ２の両側へ延びている。その先端は、幅方向Ｄ２において、包囲部５７の外側に位置している。一方、第２フロントケース３３（第２樹脂部４２）の内側面においては、２本の第１長尺部６７が配置される２本の溝部４２ｊ（凹部４２ｋの一部）が形成されている。溝部４２ｊの幅方向Ｄ２の外側端部においては、第２板金部４３の一部である露出部４３ｊ（図５）が露出している。そして、金属部材５１が突部４７に取り付けられると、２本の第１長尺部６７の先端が露出部４３ｊに当接する。これにより、金属部材５１と第２板金部４３とは電気的に接続される。
【００６６】
なお、２本の第１長尺部６７は、露出部４３ｊに対する接触圧が確保されるように、先端が枠状部６５よりも露出部４３ｊ側に位置するように適宜に湾曲して形成されている。第１長尺部６７Ａにおいては、複数回の屈曲により第２フロントケース３３の内側面へ突出する突部６７ｄ（図５）が形成されている。これは、係合部６３と同様の位置決め機能を果たすものである。
【００６７】
２本の第２長尺部６９は、第４長尺部７３と同一線上において、枠状部６５から幅方向Ｄ２の両側へ延びている。その先端は、幅方向Ｄ２において、包囲部５７の外側に位置している。また、一方の第２長尺部６９の先端は、第３長尺部７１の先端よりも幅方向Ｄ２の外側に位置している。一方、図３及び図５に示すように、第２回路基板４１の対向面５ａ側の実装面には、第２グランドパターン４１ｇの一部である、２つの接点部４１ｆが形成されている。そして、金属部材５１が突部４７に取り付けられ、第２回路基板４１が第２フロントケース３３と第２リアケース３７とにより挟持されると、２本の第２長尺部６９の先端が２つの接点部４１ｆに当接する。これにより、金属部材５１と第２グランドパターン４１ｇとは電気的に接続される。
【００６８】
なお、２本の第２長尺部６９は、接点部４１ｆに対する接触圧が確保されるように、先端側が枠状部６５よりも接点部４１ｆ側に位置するように若干湾曲して形成されている。また、先端には、接点部４１ｆ側に突出する突部が形成されている（図５）。２本の第２長尺部６９は、第２フロントケース３３（第２樹脂部４２）の内側面に形成され、回転軸ＲＡに平行に延びる溝部４２ｍ（凹部４２ｋの一部）に配置されている。溝部４２ｍは、溝部４２ｊの先端部分よりも浅く、溝部４２ｍにおいて第２板金部４３は露出していない。
【００６９】
接点部４１ｆは、第２回路基板４１の概ね両端に配置されている。第２グランドパターン４１ｇは、第２回路基板４１の外周に沿って形成される部分を含むことが一般的であるが、接点部４１ｆは、その外周に沿って形成される部分に設けられてもよい。
【００７０】
図３において、接点部４１ｆと複数の実装部品４５との位置関係から読解されるように、複数の実装部品４５は、第４長尺部７３及び第２長尺部６９に沿って、枠状部６５の外側に配列されることになる。
【００７１】
図７は、図６のＶＩＩ−ＶＩＩ線における第２筐体５の断面図である。ただし、図７においては、カバー４９などの部材は適宜に省略して示されている。
【００７２】
上述のように、第２板金部４３は、突部４７の根元まで広がっており、第２樹脂部４２に埋設されている。また、第２板金部４３は、溝部４２ｊにおいて露出部４３ｊが露出している。そして、金属部材５１の第１長尺部６７は、溝部４２ｊに配置されて露出部４３ｊに当接している。
【００７３】
また、第２回路基板４１は、第２フロントケース３３（第２樹脂部４２）と第２リアケース３７とに挟持されている。そして、金属部材５１の第２長尺部６９は、溝部４２ｍに配置されて第２グランドパターン４１ｇの接点部４１ｆ（図７では不図示）に当接している。
【００７４】
包囲部５７は、第１グランドパターン１９ｇと容量結合により接続される。具体的には、以下のとおりである。
【００７５】
図６に示すように、第１筐体３の第１フロントケース１５には、連結部６の凹部１３を構成する壁部７５が形成されている。壁部７５は、第１樹脂部２５と一体的に形成されている。また、壁部７５は、回転軸ＲＡから離間して設けられた第１構成部７５ａと、回転軸ＲＡ上に設けられた２つの第２構成部７５ｂとを有している。
【００７６】
第１構成部７５ａは、概ね平板状に形成され、第１フロントケース１５の内側面に直交する方向に突出し、第１フロントケース１５の内側面に沿って回転軸ＲＡに平行に延びている。第２構成部７５ｂは、第１フロントケース１５の内側面から突出する適宜な形状の突状に形成されている。２つの第２構成部７５ｂには、第１軸部材５３及び第２軸部材５５が挿通される不図示の孔部が形成されている。
【００７７】
第１構成部７５ａの第１筐体３の内部側の壁面７５ｃには、図６においてハッチングして示すように、導電層７７が形成されている。導電層７７は、例えば、金属を壁面７５ｃに蒸着させることにより、又は、金属粉末が練り込まれた導電塗料を壁面７５ｃに塗布することにより、形成される。導電層７７は、壁面７５ｃの全面に形成されている。なお、導電層７７は、第２構成部７５ｂの筐体内側面にも設けられるなど、図６においてハッチングにより示す範囲以上の範囲に亘って設けられてもよい。
【００７８】
導電層７７は、第１回路基板１９の第１グランドパターン１９ｇと電気的に接続されている。例えば、第１グランドパターン１９ｇ上に実装された不図示のバネ端子が導電層７７に当接することにより、導電層７７は、第１グランドパターン１９ｇに電気的に接続されている。
【００７９】
開状態においては、導電層７７と、金属部材５１の包囲部５７とは、比較的狭い間隔で且つ比較的広い範囲で対向する。従って、包囲部５７は、導電層７７と容量結合され、ひいては、第１グランドパターン１９ｇと容量結合される。一方、上述のように、金属部材５１は、第２板金部４３に接続されている。従って、第１グランドパターン１９ｇ及び第２板金部４３は、金属部材５１を介して、高周波的に互いに接続されることになる。
【００８０】
導電層７７は、幅方向Ｄ２において、概ね範囲Ｗにおいて形成されている。また、包囲部５７は、幅方向Ｄ２において、範囲Ｗよりも狭い。第１長尺部６７Ａは、幅方向Ｄ２において、範囲Ｗの端部まで延び、その先端において第２板金部４３に当接している。第１長尺部６７Ｂは、幅方向Ｄ２において、包囲部５７よりも外側、且つ、範囲Ｗよりも内側において第２板金部４３に当接している。従って、第１長尺部６７Ａ及び６７Ｂは、幅方向Ｄ２において、包囲部５７よりも広い範囲の位置にて第２板金部４３に当接している。第２長尺部６９Ａ及び６９Ｂは、範囲Ｗの両側の端部まで延び、その先端において第２グランドパターン４１ｇに当接している。
【００８１】
図６に示すように、第１板金部２６には、バネ性を有する接点部７９が形成されている。接点部７９は、例えば、第１板金部２６の平面部に沿う一の方向（幅方向Ｄ２）に見てアーチ状に形成されており、当該一の方向の両側においては、第１板金部２６の平面部から切り離されている。このような接点部７９は、プレス加工などにより簡便に形成される。接点部７９は、第１グランドパターン１９ｇに当接して、第１板金部２６と第１グランドパターン１９ｇとを電気的に接続する。
【００８２】
図８は、第２フロントケース３３の内側面を連結部６周辺において示す斜視図である。
【００８３】
上述のように、突部４７の筐体内部側には凹部４８（図６参照）が形成されている。そして、凹部４８には、着信等を振動によりユーザに報知するためのバイブレータ８１が収容されている。
【００８４】
バイブレータ８１は、回転式のモータ（電動機）８３と、モータ８３の出力軸に固定された分銅８５とを有している。分銅８５は、重心がモータ８３の出力軸の軸芯から偏心しており、出力軸が回転すると振動を生じる。
【００８５】
モータ８３は、第２筐体５の内部側に露出する端子８３ａを有している。端子８３ａは、例えば、板金のプレス加工により形成され、バネ性を有している。モータ８３には、第２回路基板４１が被せられる（図５参照）。そして、端子８３ａには、第２回路基板４１に設けられた導電層により形成された不図示の接点部が当接する。
【００８６】
以上の実施形態によれば、携帯電話機１は、第１筐体３と、第２筐体５と、第１筐体３と第２筐体５とを開閉可能に連結する連結部６とを有している。また、携帯電話機１は、第１筐体３に配置され、第１グランドパターン１９ｇを有する第１回路基板１９と、第１筐体３に配置され、第１グランドパターン１９ｇに接続されたアンテナ２３と、第２筐体５に配置され、第２グランドパターン４１ｇを有する第２回路基板４１と、第２筐体５（第２樹脂部４２）に埋設された導電性の第２板金部４３とを有している。連結部６には金属部材５１が配置されている。金属部材５１は、第１グランドパターン１９ｇと容量的に結合される包囲部５７と、包囲部５７から第２筐体５の内部まで延設される延設部５９とを有している。延設部５９は、第２板金部４３に当接する第１部分（第１長尺部６７Ａ及び６７Ｂ）と、第２グランドパターン４１ｇに当接する第２部分（第２長尺部６９Ａ及び６９Ｂ）とを有している。
【００８７】
従って、アンテナ２３における高周波電流は、第１グランドパターン１９ｇ、第１グランドパターン１９ｇに容量結合する包囲部５７、及び、包囲部５７に接続された延設部５９の第１部分（第１長尺部６７Ａ及び６７Ｂ）を介して第２板金部４３に流れる。その結果、閉状態から開状態へ移行して、閉状態において第１筐体３（第１板金部２６）と重なっていた第２板金部４３が第１筐体３から離れても、アンテナ特性が維持される。また、延設部５９は、第２部分（第２長尺部６９Ａ及び６９Ｂ）を介して第２グランドパターン４１ｇと接続され、基準電位が付与されていることから、第１グランドパターン１９ｇと同電位になりやすい。その結果、第１グランドパターン１９ｇと包囲部５７との容量結合が円滑化され、開状態におけるアンテナ特性の維持が更に図られる。また、金属部材５１は、連結部６に侵入した静電気をグランドへ逃がすことにより、ノイズが電子部品に侵入することを抑制することにも寄与する。突部４７に導電塗料などにより導電層を形成して容量結合を行う場合には、鉛直部分又は角部などにおいて断線が生じないように塗料を十分に塗布する工夫が必要であるが、本実施形態では、第２板金部４３により容量結合が行われることから、断線が簡単に抑制される。
【００８８】
第２板金部４３は、開状態における第１筐体３及び第２筐体５の並び方向に直交する幅方向Ｄ２において包囲部５７よりも広く形成されており、第１部分（第１長尺部６７Ａ及び６７Ｂ）は、幅方向Ｄ２において包囲部５７よりも広い範囲の位置にて第２板金部４３に当接している。
【００８９】
従って、包囲部５７を流れる高周波電流は、第２板金部４３に効率的に分散されることになる。その結果、開状態におけるアンテナ特性の維持が好適になされる。
【００９０】
第２グランドパターン４１ｇは、開状態における第１筐体３及び第２筐体５の並び方向に直交する幅方向Ｄ２において包囲部５７よりも広く形成されており、第２部分（第２長尺部６９Ａ及び６９Ｂ）は、幅方向Ｄ２において包囲部５７よりも広い範囲Ｗの位置にて第２グランドパターン４１ｇに当接している。
【００９１】
従って、アンテナ２３からの高周波電流は、第２回路基板４１の端部側に流れることになり、アンテナ特性が安定する。これは、接点部４１ｆを、アンテナ２３からの高周波電流が流れやすい第２回路基板４１の縁部に近づけることにより、高周波電流の流れがスムーズになるためと考えられる。
【００９２】
なお、第２長尺部６９は長いほどアンテナ特性の安定の観点から好ましい。その一方で、第１長尺部６７は、容量結合がなされる包囲部５７よりも幅方向Ｄ２へ延ばされれば、電流を分散させる効果を生じる。また、第１長尺部６７が配置される溝部４２ｊは、第２樹脂部４２と第２板金部４３との接合性を考慮すると、短いことが好ましい。そのような事情から、２つの第１長尺部６７の範囲は、２つの第２長尺部６９の範囲よりも幅方向Ｄ２において短くなっている。
【００９３】
延設部５９は、包囲部５７に連結され、閉状態における第１筐体３及び第２筐体５の対向方向に見て枠状に形成された枠状部６５を有する。第１部分（第１長尺部６７Ａ及び６７Ｂ）は、枠状部６５から幅方向Ｄ２の両側へ延び、幅方向Ｄ２において包囲部５７よりも広い範囲の両側位置にて第２板金部４３に当接する２本の第１長尺部６７を有する。第２部分（第２長尺部６９Ａ及び６９Ｂ）は、枠状部６５から幅方向Ｄ２の両側へ延び、幅方向Ｄ２において包囲部５７よりも広い範囲Ｗの位置にて第２グランドパターン４１ｇに当接する２本の第２長尺部６９を有する。
【００９４】
従って、金属部材５１の体積を極力小さくしつつ、十分な剛性を確保し、且つ、幅広い範囲に亘って金属部材５１の接点部を配置することができる。
【００９５】
携帯電話機１は、第２回路基板４１に実装され、第２長尺部６９に沿って配列された複数の実装部品４５を更に有する。すなわち、携帯電話機１においては、アンテナ特性を向上させるための導通を図る第２長尺部６９が、幅方向Ｄ２に延びるシンプルな形状とされることにより、複数の実装部品４５のレイアウトが好適になされている。
【００９６】
携帯電話機１は、第２回路基板４１に当接される端子８３ａを有するバイブレータ８１を更に有する。バイブレータ８１の振動は、端子８３ａ、第２回路基板４１、金属部材５１、第２板金部４３の順に伝達されていく。すなわち、金属部材５１が設けられることにより、第２回路基板４１から第２板金部４３に振動を伝達する経路が形成される。その結果、バイブレータ８１の振動が第２板金部４３にまで伝達され、ユーザにより振動が検知されやすくなる。
【００９７】
第２板金部４３は、アンテナ２３の共振波長の１／４の長さを有する。従って、第２板金部４３がアンテナとして機能し、アンテナ特性が向上することが期待される。
【００９８】
携帯電話機１は、第２筐体５に配置される表示装置３９を更に有し、第２板金部４３は、表示装置３９を保持する。従って、第２板金部４３は、アンテナ特性の維持だけでなく、表示装置３９の保持にも兼用されることになり、部材点数の削減及び携帯電話機１の小型化が図られる。また、第２板金部４３は、表示装置３９のシールドとしても機能し得る。
【００９９】
金属部材５１は、連結部６の材料よりも強度が高い材料により形成されている。従って、金属部材５１は、アンテナ特性の維持だけでなく、連結部６の強度的な補強にも寄与し得る。連結部６は、強度が高い材料により補強されることにより小型化可能であり、且つ、その補強が導通を図るための部材によりなされて部材点数が減じられることにより、効果的に連結部６の小型化又はデザイン性の向上が図られる。
【０１００】
連結部６は、第２筐体５から突出する突部４７を有する。突部４７は、開状態における第１筐体３及び第２筐体５の並び方向に直交する方向（幅方向Ｄ２）に、突部４７及び第１筐体３に第１軸部材５３及び第２軸部材５５が挿通されることにより、幅方向Ｄ２に延びる回転軸ＲＡ回りに回転可能に第１筐体３に連結されている。包囲部５７は、突部４７の回転軸ＲＡ回りの外周面の少なくとも一部を覆っている。
【０１０１】
このような構成により、包囲部５７の面積を広くしてキャパシタンスを大きくし、且つ、軸部材（５３及び５５）から突部４７へ加えられる回転軸ＲＡに直交する方向の荷重に対する強度補強を行うことができる。
【０１０２】
第２筐体５は、突部４７が形成された第２フロントケース３３と、第２フロントケース３３と対向して固定された第２リアケース３７とを有する。金属部材５１は、突部４７に固定される。包囲部５７には、第２フロントケース３３及び第２リアケース３７の対向方向に直交する方向に開口する係合穴５７ｅが形成されている。連結部６には、係合穴５７ｅに係合し、突部４７及び包囲部５７を覆うカバー４９が設けられている。
【０１０３】
従って、カバー４９は、金属部材５１を介して、突部４７に固定される。従って、突部４７（第２フロントケース３３）の形状をシンプルにすることができる。一般に、対向して固定される２つのケース部材は、それぞれ対向方向を金型の型開閉方向として形成される。従って、係合穴５７ｅを突部４７に形成しようとすると、係合穴５７ｅは、第２フロントケース３３を形成する金型の型開閉方向に直交する方向に開口するから、中子を用いて形成されなければならない。しかし、係合穴５７ｅを金属部材５１に形成することにより、中子が不要となり、製造コストが削減される。
【０１０４】
なお、以上の実施形態において、携帯電話機１は本発明の携帯電子機器の一例であり、第２板金部４３は本発明の導電埋設部の一例であり、金属部材５１は本発明の導電体の一例であり、包囲部５７は本発明の容量結合部の一例であり、第１長尺部６７は本発明の第１部分の一例であり、第２長尺部６９は本発明の第２部分の一例であり、表示装置３９は本発明の電子部品の一例であり、第２フロントケース３３は本発明の第１ケース部材の一例であり、第２リアケース３７は本発明の第２ケース部材の一例である。
【０１０５】
本発明は、以上の実施形態に限定されず、種々の態様で実施されてよい。
【０１０６】
携帯電子機器は、携帯電話機器に限定されない。例えば、携帯電子機器は、ＰＤＡ、デジタルカメラ、ゲーム機であってもよい。
【０１０７】
導電体は、板金により形成されるものに限定されない。例えば、樹脂部材に導電塗料が塗布されたものでもよい。また、導電体は、連結部の補強を兼ねたものでなくてもよい。導電体は、連結部付近に配置される電子部品を保持する部品であってもよい。
【符号の説明】
【０１０８】
１…携帯電話機（携帯電子機器）、３…第１筐体、５…第２筐体、６…連結部、１９…第１回路基板、１９ｇ…第１グランドパターン、２３…アンテナ、４１…第２回路基板、４１ｇ…第２グランドパターン、４３…第２板金部（導電埋設部）、５１…金属部材（導電体）、５７…包囲部（容量結合部）、５９…延設部、６７…第１長尺部（第１部分）、６９…第２長尺部（第２部分）。
【図１】
2011172025.tif 000003
【図２】
2011172025.tif 000004
【図３】
2011172025.tif 000005
【図４】
2011172025.tif 000006
【図５】
2011172025.tif 000007
【図６】
2011172025.tif 000008
【図７】
2011172025.tif 000009
【図８】
2011172025.tif 000010